(57)【特許請求の範囲】
【請求項１】
切替レバーの操作により回動する回動部材と、
前記回動部材の回動軸に対して第１の方向に配置され前記回動軸と平行な第１支持部を有する第１支持接片と、
前記回動軸に対して前記第１の方向と反対の第２の方向に配置され前記回動軸と平行な第２支持部を有する第２支持接片と、
前記第１支持接片に前記第１支持部で当接する第１可動接片と、
前記第２支持接片に前記第２支持部で当接する第２可動接片と、
前記回動部材に係合し、前記第１可動接片を前記第１支持部に押し付ける方向へ付勢する第１バネと、
前記回動部材に係合し、前記第２可動接片を前記第２支持部に押し付ける方向へ付勢する第２バネと、
前記回動部材が正転位置に回動したとき前記第１可動接片に接触する第１の第１可動接触部と、
前記回動部材が逆転位置に回動したとき前記第２可動接片に接触する第１の第２可動接触部と、
前記回動部材が前記逆転位置に回動したとき前記第１可動接片に接触する第２の第１可動接触部と、
前記回動部材が前記正転位置に回動したとき前記第２可動接片に接触する第２の第２可動接触部と、
を備えた電動工具用正転・逆転切替スイッチであって、
前記回動部材は、
前記回動部材が前記正転位置と前記逆転位置との中間である中間位置に回動したとき前記第１支持部のほうへ向く向きに突設され、前記第１バネの一端に係合した第１バネ係合ボスと、
前記回動部材が前記中間位置に回動したとき前記第２支持部のほうへ向く向きに突設され、前記第２バネの一端に係合した第２バネ係合ボスと、
を備え、
前記第１可動接片は、
前記第１バネの他端が遊嵌され、前記第１バネによって前記第１支持部に押し付けられる第１バネ係合部と、
前記第１の第１可動接触部に接触する第１の第１接触部と、
前記第２の第１可動接触部に接触する第１の第２接触部と、
を備え、前記回動部材が回動することにより、前記第１バネ係合部が前記第１支持部に当接する第１当接位置がスライドするとともに、前記第１当接位置を軸として前記回動部材が回動する回転方向とは逆の回転方向へ揺動し、
前記第２可動接片は、
前記第２バネの他端が遊嵌され、前記第２バネによって前記第２支持部に押し付けられる第２バネ係合部と、
前記第１の第２可動接触部に接触する第２の第１接触部と、
前記第２の第２可動接触部に接触する第２の第２接触部と、
を備え、前記回動部材が回動することにより、前記第２バネ係合部が前記第２支持部に当接する第２当接位置がスライドするとともに、前記第２当接位置を軸として前記回動部材が回動する回転方向とは逆の回転方向へ揺動する、
ことを特徴とする電動工具用正転・逆転切替スイッチ。
【請求項２】
前記回動部材が前記正転位置に回動したとき、前記第１バネが前記第１バネ係合ボスと前記第１バネ係合部とによって折り曲げられることにより、前記第１接触部を前記第１の第１可動接触部に押し付ける方向へ付勢し、前記第２バネが前記第２バネ係合ボスと前記第２バネ係合部とによって折り曲げられることにより、前記第２接触部を前記第２の第２可動接触部に押し付ける方向へ付勢し、
前記回動部材が前記逆転位置に回動したとき、前記第１バネが前記第１バネ係合ボスと前記第１バネ係合部とによって折り曲げられることにより、前記第１接触部を前記第２の第１可動接触部に押し付ける方向へ付勢し、前記第２バネが前記第２バネ係合ボスと前記第２バネ係合部とによって折り曲げられることにより、前記第２接触部を前記第１の第２可動接触部に押し付ける方向へ付勢する、
ことを特徴とする請求項１記載の電動工具用正転・逆転切替スイッチ。
【発明の詳細な説明】
【技術分野】
【０００１】
本発明は電動工具用正転・逆転切替スイッチに関し、詳しくは、ＡＣ電源用電動工具に使用されるモータの正転・逆転を切替える切替スイッチにおいてシーソー式可動接片を採用し可動接片の接触圧力・切替フィーリングを発生させるためにバネ反転式シーソースライド機構とした電動工具用正転・逆転切替スイッチに関する。
【背景技術】
【０００２】
従来技術におけるモータの正転・逆転を切替える正転・逆転切替スイッチの機構は種々のものが存在し、大きく分けて、可動接片のスライド動作によって、回路を切替えモータの正転・逆転を切替える構造、又は、可動接片のシーソー動作によってモータの正転・逆転を切替える構造の正転・逆転切替スイッチが存在する。
【０００３】
第１の例の正転・逆転切替スイッチは、可動接片がスライド動作する構造のスイッチであり、それは、図６に示すように、全体構成として、モータを制御する回路等が内蔵されているスイッチ本体部１１１、このスイッチ本体部１１１に搭載され切替レバー１１２によりモータの正転・逆転を切替える切替スイッチ部１１３、スイッチ本体部１１１に摺動軸を介在して連結されたトリガー１１４などから構成されている。
【０００４】
切替スイッチ部１１３は、図７に示すように、樹脂で形成され略直方体形状に形成され、その内部に板状の固定接片を整列状態に配設した切替ケース１１５と、切替ケース１１５の略中心位置で回動自在に配置される円筒形状に形成された回動部１１６と、回動部１１６の側壁面に形成された第１可動接片収容部１１７に収容配置される第１可動接片１１８、第１可動接片１１８が配置される反対側の位置に第１可動接片１１８と同じように配置される第２可動接片１２１、第１可動接片１１８が取付けられる位置よりも上部で左側位置に設けたオシボ穴１１９に係合するオシボバネ１１９ａ及びオシボ１１９ｂ、回動部１１６の上端から突出形成された中心軸１２５を係合する中心軸孔１２３及び回動部１１６の上部で偏心位置に突出形成された回動バー１２６を係合ガイドする回動バーガイド溝１２７を設け、図８（Ａ）に示すように、裏側に回動部１１６を係合するスペースとオシボ１１９ｂがフィーリング感を出すための略四方形状に形成したスペースであるオシボ回動部１２９を有する回動収容部１２８を備えたカバー１２４と、円板状に形成され回動バーガイド溝１２７を貫通した回動バー１２６を連通させる連通孔１３６及び中心軸１２５を係合する中心孔１２１を備えた回動カバー１３１、とから大略構成されている。
【０００５】
切替ケース１１５は、平板形状に形成された接触面を左右上下の所定間隔に持って整列状態で配設した４個の第１、第２、第３、第４固定接片１３２、１３３、１３４、１３５を備えている。
【０００６】
回動部１１６は、略円筒形状に形成され、上述したように側壁面に第１可動接片バネ１２０a及び第１可動接片１１８を収容するスペースで窪んで形成された第１可動接片収容部１１７を設け、同じく反対側の側壁面に第２可動接片バネ１２０ｂ及び第２可動接片１２１を収容するスペースで窪んで形成された第２可動接片収容部１２２を設け、第１可動接片収容部１１７の上部左方向の位置にオシボ穴１１９を設け、上端部で中心位置に突出形成した中心軸１２５を備え、やはり上端部で偏心した位置に切替レバー１１２でガイドする回動バー１２６を備えた構成になっている。
【０００７】
第１可動接片１１８は、略Ｔ字型形状に形成され、中央の支持部１１８ａに対して両側に直角に折り曲げて延設した接点部１１８ｂを有し、該接点部１１８ｂは先端部が上方向に折り曲げた構造となっている。
【０００８】
第２可動接片１２１は、第１可動接片１１８と同じ形状をなし、略Ｔ字型形状に形成され、中央の支持部１２１ａに対して両側に直角に折り曲げて延設した接点部１２１ｂを有し、該接点部１２１ｂは先端部が上方向に折り曲げた構造となっている。
【０００９】
カバー１２４は、一部上述したように、表面側に円板形状の回動カバー１３１を装着するための陥没状に形成した回動カバー溝１３０を設け、この回動カバー溝１３０の反対側の裏面に回動部１１６を収容する大きさの円筒形状に形成した回動部収容部１２８を設け、回動部収容部１２８に連続して両端部をコーナーにしたオシボ回動部１２９を設けた構造となっている。
【００１０】
このような各部品をカバー１２４に収容し、切替ケース１１５に組み立てるには、先ず、回動部１１６の第１可動接片収容部１１７に第１可動接片バネ１２０ａと第１可動接片１１８を収容し、第２可動接片収容部１２２に第２可動接片バネ１２０ｂと第２可動接片１２１を収容し、オシボ穴１１９にオシボバネ１１９ａとオシボ１１９ｂを収容して、カバー１２４の回動収容部１２８に収容する。そして、中心軸孔１２３に中心軸１２５を係合させ、回動バーガイド溝１２７に回動バー１２６を係合させた表面の回動カバー溝１３０に回動カバー１３１を装着し、その上に切替レバー１１２を装着する。
【００１１】
このようにして組み立てられた切替スイッチ部においては、図８（Ａ）に示すように、モータの回転が正回転の場合には、回動部１１６に装着された第１可動接片１１８の接点部１１８ｂが第２固定接片１３３及び第４固定接片１３５の接触面に接触した状態となり、第２可動接片１２１の接点部１２１ｂが第１固定接片１３２及び第３固定接片１３４の接触面に接触した状態となり、オシボ１１９ｂがオシボ回動部１２９の右側コーナーに位置した状態となっている。
【００１２】
モータの回転を逆回転にするには、図８（Ｂ）に示すように、切替レバー１１２を回動させることで、回動部１１６が回動し、回動部１１６の回動により第１、第２可動接片１１８、１２１が第１、第２、第３、第４固定接片１３２、１３３、１３４、１３５の接触面上を摺動しながら移動する。そして、第１可動接片１１８の接点部１１８ｂが第３固定接片１３４及び第４固定接片１３５の接触面に接触した状態となり、第２可動接片１２１の接点部１２１ｂが第１固定接片１３２及び第２固定接片１３３の接触面に接触した状態となり、オシボ１１９ｂがオシボ回動部１２９の図で左側コーナーに位置した状態となる。オシボ１１９ｂが左側コーナーに位置することでクリック感が生じることで切り替わったことが体感できる。
【００１３】
第２の例の正転・逆転切替スイッチは、図９（Ａ）に示すもので、シーソー式可動接片であり、ケース内部において、回動部１５１が回動する空間に、第１固定接片１５２の接触部を対向する位置関係にして臨ませて配設し、同じく第１固定接片１５２と平行な位置で第２固定接片１５３の接触部を対向する位置関係にして臨ませて配設し、第１シーソー式可動接片１５４及び第２シーソー式可動接片１５５をシーソー状に摺動するように支持するコモン端子１５６、１５７を第１固定接片１５２と第２固定接片１５３との間に配設した構造となっている。そして、回動部１５１にバネ１５８を挿嵌させ互いに反対方向にオシボ１６１、１６２を装着し、この一方のオシボ１６１がコモン端子１５６に支持されている第１シーソー式可動接片１５４の板面に当接し、他方のオシボ１６２がコモン端子１５７に支持されている第２シーソー式可動接片１５５の板面に当接した構成となっている。
【００１４】
このような構成における正転・逆転切替スイッチにおいて、モータを正回転に駆動させる場合には、図９（Ａ）に示すように、一方のオシボ１６１が第１シーソー式可動接片１５４の図においてコモン端子１５６で支持されている位置よりも左側の板面を当接することで、コモン端子１５６に支持されている第１シーソー式可動接片１５４の接点部が第１固定接片１５２に接触した状態となる。同時に、他方のオシボ１６２が第２シーソー式可動接片１５５の図においてコモン端子１５７で支持されている位置よりも右側の板面を当接することで、コモン端子１５７に支持されている第２シーソー式可動接片１５５の接点部が第２固定接片１５３に接触した状態となる。
【００１５】
この状態で正回転から逆回転に切替えるためには、図９（Ｂ）に示すように、オシボ１６１、１６２を搭載した回動部１５１を図において時計回りに回動させることで、一方のオシボ１６１が第１シーソー式可動接片１５４の表面上を摺動し、コモン端子１５６で支持されている箇所を通過することで、第１シーソー式可動接片１５４が反転して、第１固定接片１５２との接触状態が離れると共に反対側の接点部が第２固定接片１５３に接触する。
同じく、他方のオシボ１６２が第２シーソー式可動接片１５５の表面上を摺動し、コモン端子１５７で支持されている箇所を通過することで、第２シーソー式可動接片１５５が反転して、第２固定接片１５３との接触状態が離れると共に反対側の接点部が第１固定接片１５２に接触する。
このようにして、接点状態が反転することで、モータへの結線が反対となり、モータを逆回転に駆動させることができる。
【先行技術文献】
【特許文献】
【００１６】
【特許文献１】特開２００２−１５４０７３
【発明の概要】
【発明が解決しようとする課題】
【００１７】
しかしながら、従来技術で説明した正転・逆転切替スイッチにおいて、第１の例の正転・逆転切替スイッチにおける、所謂、スライド式可動接片では、可動接片と固定接片との接触が金属同士の擦れとなり、可動接片乃至固定接片が直接接する構造であるために可動接片或いは固定接片が削れてしまい、その結果、接触不安定や、通電による端子部の温度が上昇する原因となっていた。
更に、スライド動作をさせる可動接片と固定接片においては、切替フィーリングがなく、樹脂部品でのカム山・別部品で構成しており、その分フィーリング発生のための部品点数が増加しているという問題もある。
更に、切替フィーリングを発生させるためにオシボを使用してカム山に乗り越える構造となっているために、そのカム山の構造及びオシボの摺動範囲が広いため、中間位置で簡単に切替レバーを止めることができ、接触不安定が発生するという問題がある。
【００１８】
又、第２の例の正転・逆転切替スイッチにおける、所謂、シーソー式可動接片においては、第１の例の如く金属同士の接触がないため、金属の擦れによる磨耗等が発生しない反面、可動接片を切り替えるためのオシボが必要で、その分部品点数が増加しているという問題がある。
【００１９】
従って、従来の第１の例及び第２の例の機構に対して、部品点数を増やすことなく、可動接片の接触圧力・切替フィーリングを発生させる必要があり、基本的に第１の例のスライド式可動接片ではなく、第２の例のシーソー式可動接片を採用し、且つオシボを採用したシーソー式ではなく、コイルバネを利用したバネ反転式のシーソー機構を採用する。
このバネ反転式のシーソー機構においては、先ず問題となるのが異極間の空間距離の確保を考慮しなければならず、通常のバネ反転では、可動接片の支持部接触位置の移動が限られているため、可動接片が傾いたときの異極間空間距離が短いという問題があり、その解決方法として、シーソー機構に支持部上でのスライド動作を加味した形状を採用することとし、バネ反転式シーソースライド機構とする必要がある。
【課題を解決するための手段】
【００２０】
上記課題を解決するために、本願発明の電動工具用正転・逆転切替スイッチは、次に示す構成にすることである。
【００２１】
（１）本発明に係る電動工具用正転・逆転切替スイッチは、
切替レバーの操作により回動する回動部材と、
前記回動部材の回動軸に対して第１の方向に配置され前記回動軸と平行な第１支持部を有する第１支持接片と、
前記回動軸に対して前記第１の方向と反対の第２の方向に配置され前記回動軸と平行な第２支持部を有する第２支持接片と、
前記第１支持接片に前記第１支持部で当接する第１可動接片と、
前記第２支持接片に前記第２支持部で当接する第２可動接片と、
前記回動部材に係合し、前記第１可動接片を前記第１支持部に押し付ける方向へ付勢する第１バネと、
前記回動部材に係合し、前記第２可動接片を前記第２支持部に押し付ける方向へ付勢する第２バネと、
前記回動部材が正転位置に回動したとき前記第１可動接片に接触する第１の第１可動接触部と、
前記回動部材が逆転位置に回動したとき前記第２可動接片に接触する第１の第２可動接触部と、
前記回動部材が前記逆転位置に回動したとき前記第１可動接片に接触する第２の第１可動接触部と、
前記回動部材が前記正転位置に回動したとき前記第２可動接片に接触する第２の第２可動接触部と、
を備えた電動工具用正転・逆転切替スイッチであって、
前記回動部材は、
前記回動部材が前記正転位置と前記逆転位置との中間である中間位置に回動したとき前記第１支持部のほうへ向く向きに突設され、前記第１バネの一端に係合した第１バネ係合ボスと、
前記回動部材が前記中間位置に回動したとき前記第２支持部のほうへ向く向きに突設され、前記第２バネの一端に係合した第２バネ係合ボスと、
を備え、
前記第１可動接片は、
前記第１バネの他端が遊嵌され、前記第１バネによって前記第１支持部に押し付けられる第１バネ係合部と、
前記第１の第１可動接触部に接触する第１の第１接触部と、
前記第２の第１可動接触部に接触する第１の第２接触部と、
を備え、前記回動部材が回動することにより、前記第１バネ係合部が前記第１支持部に当接する第１当接位置がスライドするとともに、前記第１当接位置を軸として前記回動部材が回動する回転方向とは逆の回転方向へ揺動し、
前記第２可動接片は、
前記第２バネの他端が遊嵌され、前記第２バネによって前記第２支持部に押し付けられる第２バネ係合部と、
前記第１の第２可動接触部に接触する第２の第１接触部と、
前記第２の第２可動接触部に接触する第２の第２接触部と、
を備え、前記回動部材が回動することにより、前記第２バネ係合部が前記第２支持部に当接する第２当接位置がスライドするとともに、前記第２当接位置を軸として前記回動部材が回動する回転方向とは逆の回転方向へ揺動する。
（２）前記電動工具用正転・逆転切替スイッチにおいて、
前記回動部材が前記正転位置に回動したとき、前記第１バネが前記第１バネ係合ボスと前記第１バネ係合部とによって折り曲げられることにより、前記第１接触部を前記第１の第１可動接触部に押し付ける方向へ付勢し、前記第２バネが前記第２バネ係合ボスと前記第２バネ係合部とによって折り曲げられることにより、前記第２接触部を前記第２の第２可動接触部に押し付ける方向へ付勢し、
前記回動部材が前記逆転位置に回動したとき、前記第１バネが前記第１バネ係合ボスと前記第１バネ係合部とによって折り曲げられることにより、前記第１接触部を前記第２の第１可動接触部に押し付ける方向へ付勢し、前記第２バネが前記第２バネ係合ボスと前記第２バネ係合部とによって折り曲げられることにより、前記第２接触部を前記第１の第２可動接触部に押し付ける方向へ付勢する、ことが好ましい。
【発明の効果】
【００２２】
本発明に係る電動工具用正転・逆転切替スイッチは、支持片で支持する可動接片をシーソー状にスライド動作させ、且つバネの押圧力でシーソースライド動作させてバネ反転させて固定接片に接触させる構造としたことでスライド機構による接片同士の削れ発生を極力避けることができる。
更に、シーソースライド動作するのに、バネの押圧力を利用する構造としたことで、フィーリング用の部品を別途用意する必要がなくバネの反転力でクリック感に似たフィーリングを出すことができる。
更に、可動接片を動かすためにバネを利用して、シーソーさせ且つバネの反転力を利用して切替えるため、切替レバーを中間位置で止めることができないため確実な切替えを行うことができる。
更に、可動接片を動かすために、可動接片上に直接バネが付設されている構造としたことで、例えば、可動接片を動かすための部品、オシボ等を削減することができる。
【００２３】
そして、可動接片に対してバネの反転力を利用してシーソースライド動作する構造としたことで、固定接片と可動接片の接触する位置関係が所定の異極間空間距離が確保され、例えばＡＣ電源用電動工具の正転・逆転切替スイッチに使用することができる。
【図面の簡単な説明】
【００２４】
【図１】本発明に係る電動工具用正転・逆転切替スイッチの全体斜視図である。
【図２】同、正転・逆転切替スイッチの部分のみの斜視図である。
【図３】同、正転・逆転切替スイッチを分解して示した斜視図である。
【図４】同、正転・逆転切替スイッチを図３と異なった方向からの分解して示した斜視図である。
【図５】同、スイッチの動作を示した平面図である。
【図６】従来技術における第１例の電動工具用正転・逆転切替スイッチの全体斜視図である。
【図７】同、正転・逆転切替スイッチの部分を分解して示した斜視図である。
【図８】同、スイッチの動作を示した略示的な平面図である。
【図９】従来技術における第２例のスイッチの動作を示した略示的な平面図である。
【発明を実施するための最良の形態】
【００２５】
本願発明に係る電動工具用正転・逆転切替スイッチの実施形態について、図面を参照して説明する。
【００２６】
本発明に係る電動工具用正転・逆転切替スイッチは、図１及び図２に示すように、全体構成として、モータを制御する回路等が内蔵されているスイッチ本体部１１、このスイッチ本体部１１に搭載され切替レバー１２によりモータの正転・逆転を切替える切替スイッチ部１３、スイッチ本体部１１に摺動軸を介在して連結されたトリガー１４などから構成されている。
【００２７】
切替スイッチ部１３は、図３及び図４に示すように、樹脂で形成され略直方体形状に形成され、その内部に可動接片を切替えるための部品を収容するスペースを備えた切替ケース１５と、切替ケース１５の略中心位置で回動自在に配置される円筒形状に形成された回動部１６と、回動部１６の側壁面に凸部形成された第１バネ係合ボス４４に嵌合させる第１バネ１７、第１バネ１７に係合して動く第１可動接片１８、第１バネ１７が係合する反対側の第２バネ係合ボス４５に嵌合させる第２バネ１９、第２バネ１９に係合して動く第２可動接片２１、切替ケース１５の側壁面に収容される第１固定接片２２、第１固定接片２２が配置される相対方向の位置に第１固定接片２２と同じように配置される第２固定接片２３、配置された第１及び第２固定接片２２、２３と直交する位置に配置されるコモン端子である第１支持接片２４、第１支持接片２４と対向する位置に配置されるコモン端子である第２支持接片２５、図示しない切替ケース１５の上部空間を塞ぐためのカバーとから大略構成されている。
【００２８】
切替ケース１５は、直方体形状に形成された長手方向両端部に導電性部材で形成された第１及び第２支持接片２４、２５を収納する第１及び第２支持接片収納部２７、２８を備え、短手方向両端部に導電性部材で形成された第１及び第２固定接片２２、２３を収納する第１及び第２固定接片収納部３１、３２を備え、第１及び第２支持接片収納部２７、２８と第１及び第２固定接片収納部３１、３２とで囲まれた中心位置に回動部１６を回動可能に装着する回動収納部３３を備えた構成になっている。
【００２９】
回動収納部３３は、回動部１６の下部回動板部４３が収納できる大きさの回動溝３５を設け、切替ケース１５の長手方向側に回動ボス４７を差し込んでガイドするガイド溝３６を設け、中心位置に回動部１６の回動中心凹部４６が係合する凸部である回動支持軸３４を設けた構造となっている。
【００３０】
回動部１６は、直方体の支持部４１の上下に円板形状の上部回動板部４２及び下部回動板部４３を設け、支持部４１の側壁面に第１バネ１７に嵌合する第１バネ係合ボス４４を設け、この第１バネ係合ボス４４の反対側の支持部４１に第２バネ１９に嵌合する第２バネ係合ボス４５を設け、下部回動板部４３の中心位置には切替ケース１５の回動収納部３３に設けてある回動支持軸３４に係合する回動中心凹部４６を設け、且つ下部回動板部４３の偏心位置であってバネ係合ボス側に下方向に突出して形成した回動ボス４７を設けた構造となっている。
【００３１】
第１、第２バネ係合ボス４４、４５は、第１、第２バネ１７、１９の一端部側を差し込むようにして嵌合するものであり、回動するときにバネの座屈を防止する。
【００３２】
第１可動接片１８は、金属製の導電性部材で形成され、略コ字型形状に形成されており、第１バネ１７を横方向で遊嵌できる大きさに形成された第１バネ係合部５１、第１バネ係合部５１から直角方向に延長して離れる方向に折り曲げて第２固定接片２３に接触する第２接触部５３、反対側でやはり第１バネ係合部５１から直角方向に延長して離れる方向に折り曲げて第１固定接片２２に接触する第１接触部５２を備え、第１バネ係合部５１の反対側面が第１支持接片２４のシーソースライド支持部６５に当接してスライド動作して且つ支点となるシーソースライド部４８を備えた構造となっている。
【００３３】
第２可動接片２１は、第１可動接片１８と同一形状に形成され、金属製の導電性部材で略コ字型形状に形成されており、第２バネ１９を横方向で遊嵌できる大きさに形成された第２バネ係合部５４、第２バネ係合部５４から直角方向に延長して離れる方向に折り曲げて第１固定接片２２に接触する第１接触部５５、反対側でやはり第２バネ係合部５４から直角方向に延長して離れる方向に折り曲げて第２固定接片２３に接触する第２接触部５６を備え、第２バネ係合部５４の反対側面が第２支持接片２５のシーソースライド支持部６７に当接してスライド動作して且つ支点となるシーソースライド部４９を備えた構造となっている。
【００３４】
第１固定接片２２は、金属製の導電性部材で形成され、略Ｔ字型形状に形成されており、上部位置が接続片５０に係合して外部端子と接続する端子接続部５７であり、下部位置であって細長い平板形状の左右上端部を内側方向にハ字型形状になるように折り曲げて、第１可動接片１８の第１接触部５２或いは第２可動接片２１の第１接触部５５と接触する第１可動接触部５８と第２可動接触部５９を備えた構造となっている。
【００３５】
第２固定接片２３は、第１固定接片２２と同一形状に形成され、略Ｔ字型形状に形成されており、上部位置が接続片５０に係合して外部端子と接続する端子接続部６１であり、下部位置であって細長い平板形状の左右上端部を内側方向にハ字型形状になるように折り曲げて、第１可動接片１８の第２接触部５３或いは第２可動接片２１の第２接触部５６と接触する第１可動接触部６２と第２可動接触部６３を備えた構造となっている。
【００３６】
第１支持接片２４は、第１可動接片１８の背面であるシーソースライド部４８に当接させながらスライド動作させ、且つシーソーの支点となる、所謂、コモン端子であり、金属製の導電性部材からなる平板部材を直角に折り曲げ、基部側が接続片５０と係合して外部端子と接続する端子接触部６４を形成し、直角に折り曲げた側で片方縁部をコ字状に切欠いて形成された第１可動接片１８を挟み込んで摺動させるためのシーソースライド支持部６５を備えた構造となっている。
【００３７】
第２支持接片２５は、第１支持接片２４と同一形状に形成され、第２可動接片２１の背面であるシーソースライド部４９に当接させながらスライド動作させ、且つシーソーの支点となる、所謂、コモン端子であり、金属製の導電性部材からなる平板部材を直角に折り曲げ、基部側が接続片５０と係合して外部端子と接続する端子接触部６６を形成し、直角に折り曲げた側で片方縁部をコ字状に切欠いて形成された第２可動接片２１を挟み込んで摺動させるためのシーソースライド支持部６７を備えた構造となっている。
【００３８】
このような各部品を切替ケース１５に収容するには、先ず、コモン端子である第１支持接片２４は隙間を介してシーソースライド支持部６５を回動収納部３３に臨ませる状態にして第１支持接片収納部２７に装着し、同じく第２支持接片２５は隙間を介してシーソースライド支持部６７を回動収納部３３に臨ませる状態にして第２支持接片収納部２８に装着する。
同様に、第１固定接片２２は、切替ケース１５の一方の側壁面に設けた第１固定接片収納部３１に設けてある２つの貫通窓に第１可動接触部５８及び第２可動接触部５９を貫通させ、該接触部５８、５９を回動収納部３３側に臨ませて装着する。
第２固定接片２３は、第１固定接片２２と同様に、切替ケース１５の他方の側壁面に設けた第２固定接片収納部３２に設けてある２つの貫通窓に第１可動接触部６２及び第２可動接触部６３を貫通させ、該接触部６２、６３を回動収納部３３側に臨ませて装着する。
【００３９】
次に、回動部１６の第１バネ係合ボス４４に第１バネ１７を係合させ、第２バネ係合ボス４５に第２バネ１９を係合させ、第１バネ１７の先端に第１可動接片１８の第１バネ係合部５１を付き合わせ、第２バネ１９の先端に第２可動接片２１の第２バネ係合部５４を付き合わせ、付き合わせた第１可動接片１８及び第２可動接片２１の第１バネ係合部５１及び第２バネ係合部５４の反対側面のシーソースライド部４８、４９を第１支持接片２４及び第２支持接片２５のシーソースライド支持部６５、６７に係合させ、回動部１６自体の回動中心凹部４６を回動支持軸３４に係合させ、回動ボス４７をガイド溝３６に係合させて回動収納部３３に収納する。
【００４０】
このようにして組み立てられた切替スイッチ部においては、図５（Ａ）に示すように、モータの回転が正回転の場合の可動接片の様子を示したもので、回動部１６に回動された第２可動接片２１が第２バネ１９で外方向に付勢された状態で、且つ第１接触部５５が第１固定接片２２の第１可動接触部５９に接触した状態となり、この状態は第２バネ１９が屈曲し曲げられた状態を戻そうとする応力が加えられているために接触部位が極めて安定した状態で接触することとなる。反対に、第１可動接片１８に対しても同様に第１可動接片１８が第１バネ１７で外方向に付勢された状態で、且つ第２接触部５３が第２固定接片２３の第２可動接触部６３に接触した状態となり、この状態は第１バネ１７が屈曲し曲げられた状態を戻そうとする応力が加えられているために接触部位が極めて安定した状態で接触をとることができる。
【００４１】
この状態で、図示しない切替レバーを操作してモータを反転させるためには、図５（Ｂ）に示すように、切替レバーを操作することで、第２可動接片２１の第１接触部５５が第１固定接片２２の第１可動接触部５８から離れるが、未だ第２バネ１９の第２可動接片２１を押圧する方向はやや曲げられた状態で押圧し、その押圧に対して、第２可動接片２１のシーソースライド部４９が第２支持接片２５のシーソースライド支持部６７に当接した状態を維持する。同様に、第１可動接片１８の第２接触部５３が第２固定接片２３の第２可動接触部６３から離れるが、未だ第１バネ１７の第１可動接片１８を押圧する方向はやや曲げられた状態で押圧し、その押圧に対して、第１可動接片１８のシーソースライド部４８が第１支持接片２４のシーソースライド支持部６５に当接した状態を維持する。
回動部１６の第１及び第２バネ係合ボス４４、４５が第１及び第２バネ１７、１９と当接し、第１及び第２可動接片１８、２１の第１及び第２バネ係合部５１、５４の内壁に当接するため強制的にスライド動作させ乖離させる。
【００４２】
次に、図５（Ｃ）に示すように、更に切替レバーを操作することで、回動部１６が回動し、第１及び第２バネ１７、１９の曲がり具合がなくなると共にシーソースライド部４８、４９がシーソースライド支持部６５、６７をスライド動作し、シーソースライド部４８、４９の略中央位置付近で支持される。この状態は極めて不安定な状態であるため、このままこの状態を維持することなく回動方向に行こうとする。
【００４３】
次に、図５（Ｄ）に示すように、更に切替レバーを回動操作することで、回動部１６が回動し、第２可動接片２１のシーソースライド部４９がシーソースライド支持部６７を摺動させて第２可動接片２１自体がシーソー状に動き、シーソースライド部４９の端部まで摺動させる。
同じく、第１可動接片１８のシーソースライド部４８をシーソースライド支持部６５に摺動させて第１可動接片１８自体がシーソー状に動き、シーソースライド部４８の端部まで摺動させる。
【００４４】
そして、図５（Ｅ）に示すように、シーソースライド部４９の端部まで摺動している第２可動接片２１を、その端部を支点として更なる第２バネ１９の回動方向への応力により第２可動接片２１の第２接触部５６が第２固定接片２３の第２可動接触部６２に当接して接触する。このとき、第２バネ１９の先端部位の屈曲による応力が第２可動接触部６２方向（図でＣ方向）にかかり、且つ第２バネ１９の付勢力が第２可動接片２１を第２支持接片２５方向（図でＤ方向）に加わるため、第２支持接片２５のシーソースライド支持部６７にシーソースライド部４９の圧力が加わった状態で接触することになる。
【００４５】
同様に、シーソースライド部４８の端部まで摺動している第１可動接片１８を、その端部を支点として更なる第１バネ１７の回動方向への応力により第１可動接片１８の第１接触部５２が第１固定接片２２の第２可動接触部５８に当接して接触する。このとき、第１バネ１７の先端部位の屈曲による応力が第２可動接触部５８方向（図でＥ方向）にかかり、且つ第１バネ１７の付勢力が第１可動接片１８を第１支持接片２４方向（図でＦ方向）に加わるため、第１支持接片２４のシーソースライド支持部６５にシーソースライド部４８の圧力が加わった状態で接触することになる。
【産業上の利用可能性】
【００４６】
バネ反転式のシーソー機構を採用した接点機構で、可動接片を支持部上でスライド動作させることで接触する接点間の距離を確保したスイッチを提供する。
【符号の説明】
【００４７】
１１      スイッチ本体部
１２      切替レバー
１３      切替スイッチ部
１４      トリガー
１５      切替ケース
１６      回動部
１７      第１バネ
１８      第１可動接片
１９      第２バネ
２１      第２可動接片
２２      第１固定接片
２３      第２固定接片
２４      第１支持接片
２５      第２支持接片
２７      第１支持接片収納部
２８      第２支持接片収納部
３１      第１固定接片収納部
３２      第２固定接片収納部
３３      回動収納部
３４      回動支持軸
３５      回動溝
３６      ガイド溝
４１      支持部
４２      上部回動板部
４３      下部回動板部
４４      第１バネ係合ボス
４５      第２バネ係合ボス
４６      回動中心凹部
４７      回動ボス
４８      シーソースライド部
４９      シーソースライド部
５０      接続片
５１      第１バネ係合部
５２      第１接触部
５３      第２接触部
５４      第２バネ係合部
５５      第１接触部
５６      第２接触部
５７      端子接続部
５８      第１可動接触部
５９      第２可動接触部
６１      端子接続部
６２      第１可動接触部
６３      第２可動接触部
６４      接触部
６５      シーソースライド支持部
６６      接触部
６７      シーソースライド支持部
【図１】
0005564399.tif 000002
【図２】
0005564399.tif 000003
【図３】
0005564399.tif 000004
【図４】
0005564399.tif 000005
【図５】
0005564399.tif 000006
【図６】
0005564399.tif 000007
【図７】
0005564399.tif 000008
【図８】
0005564399.tif 000009
【図９】
0005564399.tif 000010